(57)【要約】【課題】  排煙の脱臭を確実に行う廃棄物焼却炉の脱臭装置を提供すること。【解決手段】  本発明の廃棄物焼却炉の脱臭装置１０は、下方に脱臭用の水が蓄えられるケース本体１１と、ケース本体１１の外側に設けられた吸入管２１からの排煙が吸入される煙路２２の排出側上部に水平方向に横溝２３が形成され、横溝２３の開閉をする開閉弁２４が脱臭用の水の水面より下方に設けられる脱臭ユニット２０と、脱臭用の水の水面の上方に設けられた排煙吸引用のファン１２とを備えることとした。【選択図】図１
2010120001.tif 000002
【特許請求の範囲】
【請求項１】
下方に脱臭用の液体が蓄えられるケース本体と、前記ケース本体の外側に設けられた吸入管からの排煙が吸入される煙路の排出側に横溝が形成され、前記横溝の開閉をする開閉弁が前記脱臭用の液体の液面より下方に設けられる脱臭ユニットと、前記脱臭用の液体の前記液面の上方に設けられた前記排煙の吸引用のファンとを備えたことを特徴とする廃棄物焼却炉の脱臭装置。
【請求項２】
前記開閉弁は、長方形状の弾性材が上端部で互い向き合い前記横溝より突出して当接する横長の開閉弁とし、前記脱臭用の液体の中に設けられることを特徴とする請求項１に記載の廃棄物焼却炉の脱臭装置。
【請求項３】
前記長方形状の弾性材は、ゴムの弾性材、金属の弾性材、樹脂の弾性材のいずれかを用いることを特徴とする請求項２に記載の廃棄物焼却炉の脱臭装置。
【請求項４】
上方に向け散水する上方向け散水管と、下方に向け散水する下方向け散水管とが設けられ、前記上方向け散水管と前記下方に向け散水管とによる散水の中を排煙が通過する散水ユニットに接続することを特徴とする請求項１または２に記載の廃棄物焼却炉の脱臭装置。
【発明の詳細な説明】
【技術分野】
【０００１】  本発明は、排煙の脱臭を確実に行う廃棄物焼却炉の脱臭装置に関する。
【背景技術】
【０００２】  従来の廃棄物焼却炉には、一般家庭の庭などで使用する比較的小型のものから、工場や事業所で使用される比較的大型のものまであるが（例えば、特許文献１参照）、排出される排煙に臭いが残り周辺に悪影響を及ぼすことがあるため、排煙を消臭することが行われている（例えば、特許文献２参照）。【０００３】
【特許文献１】  特開平６−２７２８４０号公報
【特許文献２】  特開平１０−２３８７３３号公報
【発明の開示】
【発明が解決しようとする課題】
【０００４】  しかしながら、従来の排煙を消臭する装置は、排煙の煙路内にシャワーノズルを設けシャワーノズルにより散水し臭いの除去を行っているが、散水する水と排煙との接触不足のため臭いの除去が十分行われないことがあるという問題があった。
本発明は、上記に鑑みてなされたものであって、排煙の脱臭を確実に行う廃棄物焼却炉の脱臭装置を提供することを目的とする。
【課題を解決するための手段】
【０００５】  本発明の廃棄物焼却炉の脱臭装置は、下方に脱臭用の液体が蓄えられるケース本体と、前記ケース本体の外側に設けられた吸入管からの排煙が吸入される煙路の排出側に横溝が形成され、前記横溝の開閉をする開閉弁が前記脱臭用の液体の液面より下方に設けられる脱臭ユニットと、前記脱臭用の液体の前記液面の上方に設けられた前記排煙の吸引用のファンとを備えることとした。
また、前記開閉弁は、長方形状の弾性材が上端部で互い向き合い前記横溝より突出して当接する横長の開閉弁とし、前記脱臭用の液体の中に設けられることとした。
また、前記長方形状の弾性材は、ゴムの弾性材、金属の弾性材、樹脂の弾性材のいずれかを用いることとした。
さらに、上方に向け散水する上方向け散水管と、下方に向け散水する下方向け散水管とが設けられ、前記上方向け散水管と前記下方に向け散水管とによる散水の中を排煙が通過する散水ユニットに接続することとした。
【発明の効果】
【０００６】  本発明の廃棄物焼却炉の脱臭装置は、下方に脱臭用の液体が蓄えられるケース本体と、前記ケース本体の外側に設けられた吸入管からの排煙が吸入される煙路の排出側に横溝が形成され、前記横溝の開閉をする開閉弁が前記脱臭用の液体の液面より下方に設けられる脱臭ユニットと、前記脱臭用の液体の前記液面の上方に設けられた前記排煙の吸引用のファンとを備えることとしたため、排煙を多数の気泡とすることができ、多数の気泡が貯留した脱臭用の水の中を通過することにより効果的に脱臭をすることができる。
また、前記開閉弁は、長方形状の弾性材が上端部で互い向き合い前記横溝より突出して当接する横長の開閉弁とし、前記脱臭用の液体の中に設けられることとしたため、横長の開閉弁により排煙を多数の気泡とすることができ、より効果的に脱臭をすることができる。
また、前記長方形状の弾性材は、ゴムの弾性材、金属の弾性材、樹脂の弾性材のいずれかを用いることとしたため、より効果的に脱臭をすることができる。
さらに、上方に向け散水する上方向け散水管と、下方に向け散水する下方向け散水管とが設けられ、前記上方向け散水管と前記下方に向け散水管とによる散水の中を排煙が通過する散水ユニットに接続することとしたため、さらに脱臭効果を上げることができる。
【発明を実施するための最良の形態】
【０００７】  以下、本発明の実施の形態の廃棄物焼却炉の脱臭装置につき説明する。
【実施例】
【０００８】  図１は、本発明の実施の形態の廃棄物焼却炉の脱臭装置の斜視図を示す。
図１に示すように、本発明の実施の形態の廃棄物焼却炉の脱臭装置１０は、下方に水Ｗが貯留され、貯留された水Ｗを外側からのぞくことができるのぞき窓１５が側面に取り付けられたケース本体１１と、ケース本体１１の側面側に取り付けられ、吸入管２１が垂直方向に接続する脱臭ユニット２０と、ケース本体１１の上面側に垂直方向に接続する排出管１６に取り付けられる排煙吸引用のファン１２とで構成されている。脱臭を行う排煙は、矢印Ｐに示すように吸入管２１から吸引され、矢印Ｑに示すように排出管１６から排出される。【０００９】  図２は、本発明の実施の形態の廃棄物焼却炉の脱臭装置の側面図を示す。
図２に示すように、本発明の実施の形態の廃棄物焼却炉の脱臭装置１０は、ケース本体１１には、排煙吸引用のファン１２が取り付けられた排出管１６が垂直方向に上方で接続され、また、下方には貯水槽１７に脱臭用の水Ｗが貯水され、脱臭用の水Ｗは給水管１３により給水し排水管１４により排水することができ、脱臭用の水Ｗの水面Ｈは一定の高さとすることができる。
脱臭ユニット２０は、矢印Ｐに示すように排煙が吸引される吸入管２１と、吸入管２１からの排煙が導入される煙路２２と、排煙の排出側に取り付けられた横長の開閉弁２４とで構成されている。脱臭ユニット２０がケース本体１１に取り付けられたときには、吸入管２１はケース本体１１の外側に配置され、煙路２２は、排出側に近づくにつれ断面が小さくなる形状に形成され、吸入管２１が接続する吸入側の煙路２２ａがケース本体１１の外側に配置され、横長の開閉弁２４が取り付けられた排出側の煙路２２ｂがケース本体１１の内側に配置され、横長の開閉弁２４はケース本体１１に蓄えられる脱臭用の水Ｗの水面Ｈより下方になる位置に配置される。また、排煙吸引用のファン１２は、ケース本体１１の上方に接続する排出管１６に取り付けられ、矢印Ｑに示すように排煙を排出することができる。【００１０】  図３は、脱臭ユニットの排出側の煙路を示し、図３（ａ）は、脱臭ユニットの排出側の煙路の斜視図を示し、図３（ｂ）は、脱臭ユニットの排出側の煙路の垂直縦断面図を示す。
図３（ａ）に示すように、脱臭ユニット２０の排出側の煙路２２ｂは、端部２７の上端にそって横長の開閉弁２４が形成され、横長の開閉弁２４は、貯水槽１７（図２参照）に貯水され水Ｗの中に水面と並行に配置され、矢印Ｃに示すように貯水され水Ｗの中に多数の気泡Ｂを発生する。
図３（ｂ）に示すように、脱臭ユニット２０の排出側の煙路２２ｂは、排出側の煙路２２ｂの端部２７が上方に近づくにつれ狭められ互いに向き合うテーパ部２６ａ、２６ｂが形成され、上部には水平方向に横溝２３が形成されている。テーパ部２６ａ、２６ｂの内側には弾性材である長方形状のゴム材２５ａ、２５ｂが接合され、長方形状のゴム材２５ａ、２５ｂは、横溝２３より突出した上端部で互いに当接して横長の開閉弁２４を形成している。
そのため、貯水された水Ｗの水面Ｈに負圧Ｒがかかったとき、横長の開閉弁２４が開口し、矢印Ｓに示すように排煙Ｋが吸引され多数の気泡Ｂが発生する。多数の気泡Ｂは、水Ｗの中を通り、水面Ｈの上方に吸い寄せられる。このとき、排煙Ｋは、多数の気泡Ｂとなって水Ｗの中を通り水Ｗと接触するため、脱臭が行われる。
図１、図２に示す廃棄物焼却炉の脱臭装置１０による排煙の脱臭を行うときには、廃棄物焼却炉よりの排煙が送付される配管（図示せず）に吸入管２１を接続し、排煙吸引用のファン１２を作動することにより脱臭を行うことができる。排煙吸引用のファン１２を作動することによりケース本体１１に蓄えられる脱臭用の水Ｗの水面Ｈには、負圧Ｒが発生し、この負圧Ｒにより横長の開閉弁２４が開き、吸入管２１と連通する煙路２２ｂの中の排煙Ｋが吸引され脱臭用の水Ｗに多数の排煙の気泡Ｂが横長の開閉弁２４にそって発生し、多数の気泡が排煙吸引用のファン１２に吸引される。多数の気泡Ｂは、脱臭用の水Ｗとの中を通過するとき、脱臭用の水Ｗと接触し、脱臭が行われる。なお、脱臭用の水Ｗの中の気泡Ｂは、のぞき窓１５より、監視することができる。
従って、廃棄物焼却炉の脱臭装置１０は、横長の開閉弁２４により排煙を多数の気泡とすることができ、気泡が貯留した脱臭用の水の中を通過することにより効果的に脱臭をすることができる。また、廃棄物焼却炉の脱臭装置１０は、効果的に脱臭をすることに加え、脱煙や、冷却を行うこともできる。
なお、横長の開閉弁２４は、長方形状のゴム材２５ａ、２５ｂを弾性材として用いることとしたが、ゴムの弾性材、金属の弾性材、樹脂の弾性材なども用いることができる。
また、横長の開閉弁２４は、長方形状のゴム材２５ａ、２５ｂが横溝２３より突出した上端部で互いに当接して形成さすることとしたが、長方形状のゴム材２５ａ、２５ｂが内側に接合し互いに向き合うテーパ部２６ａ、２６ｂを全体的に傾け、横長の開閉弁２４も傾けるようにすることもできる。
また、横長の開閉弁２４は、水平方向にすることとしたが、垂直方向にもすることができる。
また、ケース本体１１の上面側に排煙吸引用のファン１２を設けているが、排煙が導入される吸入管２１側にファンを設けることも追加することもできる。
さらに、ケース本体１１には水を貯留することとしたが、有機溶剤の溶液、アルカリ性の水などの液体も使用することができる。【００１１】  図４は、本発明の実施の形態の廃棄物焼却炉の脱臭装置に接続する散水ユニットの斜視図を示す。
図４に示すように、散水ユニット３０は、入口側の接続部３１が廃棄物焼却炉（図示せず）に接続し、出口側の接続部３２が図１に示す廃棄物焼却炉の脱臭装置１０の吸入管２１に接続し、廃棄物焼却炉よりの排煙は、吸入側の接続部３１から吸引され出口側の接続部３２から廃棄物焼却炉の脱臭装置１０の吸入管２１に吸入される。散水ユニット３０の正面側には、上方に散水用の給水管３３が吸入側に取り付けられ、下方に散水用の給水管３４が出口側に取り付けられ、中央部には光触媒などのフィルタ３７が取り外し自在に内装されている。また、上方に散水用の給水管３３の上側にはのぞき窓３５ａが設けられ、下方に散水用の給水管３４の下側にはのぞき窓３５ｂが設けられ、中央部にはフィルタ３７の交換用のドア３８が設けられている。【００１２】  図５は、本発明の実施の形態の廃棄物焼却炉の脱臭装置に接続する脱臭ユニットの正面図を示す。
図５に示すように、散水ユニット３０は、入口側の接続部３１が廃棄物焼却炉（図示せず）に接続し、出口側の接続部３２が図１に示す廃棄物焼却炉の脱臭装置１０の吸入管２１に接続し、廃棄物焼却炉よりの排煙は、吸入側の接続部３１から吸引され出口側の接続部３２から廃棄物焼却炉の脱臭装置１０の吸入管２１に吸入される。
散水ユニット３０には、図４に示す上方に散水用の給水管３３と接続し上方に向け散水する上方向け散水管３３ａが取り付けられ、上方向け散水管３３ａは、上方に散水用の給水管３３から水が圧送されたとき、上部に明けた多数のオリフィス（図示せず）から矢印Ｕに示すように上方に向け散水が行われる。また、散水ユニット３０には、図４に示す下方に散水用の給水管３４と接続し下方に向け散水する下方向け散水管３４ａが取り付けられ、下方向け散水管３４ａは、下方に散水用の給水管３４から水が圧送されたとき、下部に明けた多数のオリフィス（図示せず）から矢印Ｄに示すように下方に向け散水が行われる。さらに、散水ユニット３０には、上方向け散水管３３ａと、下方向け散水管３４ａとの間の中央部にフィルタ３７が内装されている。なお、のぞき窓３５ａと、のぞき窓３５ｂとにより散水状況を監視でき、また、ドア３８によりフィルタ３７の交換をすることができる。さらに、下方向け散水管３４ａと、上方向け散水管３３ａとにより散水された水は、排水管３９により排水する。
そのため、散水ユニット３０の入口側の接続部３１から排煙が吸入されたとき、排煙は、上方向け散水管３３ａから上方に向け行われている散水の中と、中央部に装着されているフィルタ３７の中を通り、さらに、下方向け散水管３４ａから下方に向け行われている散水の中を通ることにより、廃棄物焼却炉の脱臭装置１０に排煙が入る前に、廃棄物焼却炉の脱臭装置１０の脱臭に加えさらに脱臭を行うことができる。なお、散水ユニット３０は、廃棄物焼却炉の脱臭装置１０の排煙が出る後側に接続することもできる。【００１３】  以上述べたように、本発明の廃棄物焼却炉の脱臭装置は、排煙を多数の気泡とし、脱臭用の水の中を通過することにより効果的に脱臭をすることができる。また、散水ユニットにより、上方向け散水管３３ａから行われる散水の中と、中央部に装着されているフィルタ３７の中と、下方向け散水管３４ａから行われる散水の中とを通すことにより、さらに脱臭効果を上げることができる。
【図面の簡単な説明】
【００１４】
【図１】  本発明の実施の形態の廃棄物焼却炉の脱臭装置の斜視図を示す。
【図２】  本発明の実施の形態の廃棄物焼却炉の脱臭装置の側面図を示す。
【図３】  脱臭ユニットの排出側の煙路を示し、図３（ａ）は、脱臭ユニットの排出側の煙路の斜視図を示し、図３（ｂ）は、脱臭ユニットの排出側の煙路の垂直縦断面図を示す。
【図４】  本発明の実施の形態の廃棄物焼却炉の脱臭装置に接続する散水ユニットの斜視図を示す。
【図５】  本発明の実施の形態の廃棄物焼却炉の脱臭装置に接続する脱臭ユニットの正面図を示す。
【符号の説明】
【００１５】  １０  廃棄物焼却炉の脱臭装置
１１  ケース本体
１６  排出管
１２  排煙吸引用のファン
１７  貯水槽
２０  脱臭ユニット
２１  吸入管
２２  煙路
２４  横長の開閉弁
２５ａ、２５ｂ  長方形状のゴム材
３０  散水ユニット
３１  吸入側の接続部
３２  出口側の接続部
３３  上方に散水用の給水管
３３ａ  上方向け散水管
３４  下方に散水用の給水管
３４ａ  下方向け散水管
３７  フィルタ
【図１】
2010120001.tif 000003
【図２】
2010120001.tif 000004
【図３】
2010120001.tif 000005
【図４】
2010120001.tif 000006
【図５】
2010120001.tif 000007